(57)【要約】【課題】表示色を適切に色補正可能な測光装置およびこれを用いた画像表示装置を提供する。【解決手段】測光装置３０は、第一方向からの光を通過させる第一光入射孔３３１が備えられた第一遮光部３１１と、前記第一方向と異なる第二方向からの光を通過させる第二光入射孔３３２が備えられた第二遮光部３１２と、を有する筐体３１と、前記筐体３１内に設けられ、入射光のうち所定波長の光を出射させる波長可変干渉フィルター５と、前記筐体３１内に設けられ、波長可変干渉フィルター５から出射された光を受光する受光部（各光センサー３４１，３４２）と、を備え、前記受光部（各光センサー３４１，３４２）は、前記第一光入射孔３３１から波長可変干渉フィルター５に入射された入射光の前記所定波長の光と、前記第二光入射孔３３２から波長可変干渉フィルター５に入射された光の前記所定波長の光と、をそれぞれ独立して受光する。【選択図】図４
2015141066.tif 000002
【特許請求の範囲】
【請求項１】
第一方向からの光を通過させる第一光入射孔が備えられた第一遮光部、及び前記第一方向と異なる第二方向からの光を通過させる第二光入射孔が備えられた第二遮光部を有する筐体と、
前記筐体内に設けられ、入射光のうち所定波長の光を出射させる分光フィルターと、
前記筐体内に設けられ、前記分光フィルターから出射された光を受光する受光部と、を備え、
前記受光部は、前記第一光入射孔から当該分光フィルターに入射された入射光の前記所定波長の光と、前記第二光入射孔から当該分光フィルターに入射された光の前記所定波長の光と、をそれぞれ独立して受光する
ことを特徴とする測光装置。
【請求項２】
請求項１に記載の測光装置において、
前記第一光入射孔及び前記第二光入射孔は同軸上に設けられている
ことを特徴とする測光装置。
【請求項３】
請求項２に記載の測光装置において、
前記分光フィルターは、前記第一遮光部と前記第二遮光部との間で、前記第一光入射孔及び前記第二光入射孔の中心を通る仮想軸線上に設けられ、
前記受光部は、前記分光フィルターの前記第一遮光部側に、かつ、前記第一光入射孔から入射する光の光路に対して進退自在に設けられ、前記第一光入射孔から入射する光の光路に配置された際に、前記第二光入射孔から入射され前記分光フィルターを通過した光を受光する第一受光部と、前記分光フィルターの前記第二遮光部側に、かつ、前記第二光入射孔から入射する光の光路に対して進退自在に設けられ、前記第二光入射孔から入射する光の光路に配置された際に、前記第一光入射孔から入射され前記分光フィルターを通過した光を受光する第二受光部と、を備えた
ことを特徴とする測光装置。
【請求項４】
請求項２に記載の測光装置において、
前記分光フィルターは、前記第一遮光部と前記第二遮光部との間で、前記第一光入射孔及び前記第二光入射孔の中心を通る仮想軸線上に設けられ、
前記第一光入射孔から入射する光の光路に対して進退自在に設けられ、前記第一光入射孔から入射する光の光路に配置された際に、前記第二光入射孔から前記分光フィルターに入射し前記分光フィルターから出射された光を前記受光部に導く第一導光光学系と、
前記第二光入射孔から入射する光の光路に対して進退自在に設けられ、前記第二光入射孔から入射する光の光路に配置された際に、前記第一光入射孔から前記分光フィルターに入射し前記分光フィルターから出射された光を前記受光部に導く第二導光光学系と、
を備えた
ことを特徴とする測光装置。
【請求項５】
請求項１から請求項４のいずれかに記載の測光装置において、
前記分光フィルターは、互いに対向する一対の反射膜を有する波長可変型のファブリーペローエタロンである
ことを特徴とする測光装置。
【請求項６】
請求項５に記載の測光装置において、
前記分光フィルターは、前記一対の反射膜のギャップ寸法を変更するギャップ変更部を備えている
ことを特徴とする測光装置。
【請求項７】
第一方向からの光を通過させる第一光入射孔が備えられた第一遮光部、及び前記第一方向と異なる第二方向からの光を通過させる第二光入射孔が備えられた第二遮光部を有する筐体と、前記筐体内に設けられ、入射光のうち所定波長の光を出射させる分光フィルターと、前記筐体内に設けられ、前記分光フィルターから出射された光を受光する受光部と、を備え、前記受光部が、前記第一光入射孔から当該分光フィルターに入射された入射光の前記所定波長の光と、前記第二光入射孔から当該分光フィルターに入射された光の前記所定波長の光とをそれぞれ独立して受光する測光装置と、
画像を表示する表示部と、
前記表示部および前記測光装置を制御する制御部と、を備え、
前記測光装置の前記第一遮光部は、前記表示部に対向して設けられ、前記第二遮光部は、当該測光装置における前記第一遮光部とは反対側に設けられ、
前記制御部は、前記受光部により受光された前記第一光入射孔から当該分光フィルターに入射された入射光の前記所定波長の光の光量と、前記第二光入射孔から当該分光フィルターに入射された光の前記所定波長の光と前記第一光入射孔から入射された光の光量と、に基づいて、前記入射光のスペクトルを取得し、前記スペクトルに基づいて前記表示部の色補正を行う色補正手段を備えた
ことを特徴とする画像表示装置。
【請求項８】
請求項７に記載の画像表示装置において、
前記表示部は、画像を表示する表示領域と、表示領域を囲うベゼル部とを備え、
前記測光装置は、前記ベゼル部から前記表示領域に進退自在に設けられた
ことを特徴とする画像表示装置。
【発明の詳細な説明】
【技術分野】
【０００１】
本発明は、測光装置およびこれを用いた画像表示装置に関する。
【背景技術】
【０００２】
従来、表示された画像の輝度等の特徴量を測定し、表示色を調整する表示装置が知られている（例えば、特許文献１参照）。
この特許文献１に記載の表示装置は、ベゼルから表示領域に出没自在な測光装置を備えている。この測光装置は表示画面に対向する光センサーやフォトディテクターを備えており、表示装置は、測光装置の測定結果に基づいて表示色を補正する。
【先行技術文献】
【特許文献】
【０００３】
【特許文献１】特開２００５−２０８５４８号公報
【発明の概要】
【発明が解決しようとする課題】
【０００４】
ところで、表示装置に表示される画像の色を適切に補正するためには、表示された画像の色を正確に測定する必要がある。例えば表示装置として液晶表示装置を用いる場合、バックライトに冷陰極管が用いられており、液晶表示装置が発する光のスペクトルは、図１０に示すようなピーキーなスペクトル形状となる（各ピーク波長における半値幅が小さく、尖った形状となる）。バックライトにＬＥＤや有機ＥＬ等の自発光素子を用いた場合でも同様にピーク波長におけるスペクトル形状がピーキーとなる。
このような表示装置に対して、上記特許文献１では、光センサーやフォトダイオードにより光の特徴量を測定している。このような光センサーやフォトダイオードでは、例えばＲＧＢ成分などの限られた色情報しか測定できず、上記のような詳細なスペクトルを測定することができない。
さらに、表示装置の観察者により観察される画像は、表示画面から出力された光だけでなく、表示画面に入射される外光の影響も受けるものであり、表示画面から出力される色のみを測定した場合は、観察者が認識する色を精度よく検出できないという課題がある。
したがって、上記のような測定装置、およびこれを用いた表示装置では、適切に表示画像の色補正を行うことができないという課題がある。
【０００５】
本発明は、表示色を適切に色補正可能な測光装置およびこれを用いた画像表示装置を提供することを目的とする。
【課題を解決するための手段】
【０００６】
本発明の測光装置は、第一方向からの光を通過させる第一光入射孔が備えられた第一遮光部、及び前記第一方向と異なる第二方向からの光を通過させる第二光入射孔が備えられた第二遮光部を有する筐体と、前記筐体内に設けられ、入射光のうち所定波長の光を出射させる分光フィルターと、前記筐体内に設けられ、前記分光フィルターから出射された光を受光する受光部と、を備え、前記受光部は、前記第一光入射孔から当該分光フィルターに入射された入射光の前記所定波長の光と、前記第二光入射孔から当該分光フィルターに入射された光の前記所定波長の光と、をそれぞれ独立して受光することを特徴とする。
【０００７】
ここで、第一光入射孔から光が入射される際には、第二光入射孔は遮蔽状態である必要があり、また、第二光入射光が入射される際には、第一光入射孔は遮蔽状態である必要がある。このような構成でなければ、分光フィルターにより、各光入射孔から光が筐体内に供給された際に、筐体内に入射された光を確実に分光することができない。このため、本発明では、例えば、第一光入射孔および第二光入射孔を遮蔽する遮蔽板が設けられ、第一光入射孔および第二光入射孔のいずれかを遮蔽し、両光入射孔から同時に光が入射されることを抑制する。
本発明では、第一方向からの光が第一光入射孔から筐体内に入射され、当該入射光が分光フィルターを介して所定波長の光として受光部に向けて出射される。また、第二方向からの光が第二光入射孔から筐体内に入射され、当該入射光が分光フィルターを介して所定波長の光として受光部に向けて出射される。そして、受光部は、第一光入射孔から入射された光に基づく所定波長の光と、第二光入射孔から入射された光に基づく所定波長の光とをそれぞれ独立して受光する。すなわち、同時に第一光入射孔および第二光入射孔から入射された光に基づく所定波長の光を同時に受光することがないので、受光部が１つであってもよい。これにより、分光フィルターを複数設けることなく、１つの分光フィルターおよび１つの受光部を用いることで、それぞれ異なる方向から筐体内に入射される光を確実に受光部にて受光し、測色精度を高めることができる。
すなわち、本発明の測光装置を利用する機器、例えば、画像表示装置によれば、測光装置により取得された精度の高い受光データを用いて、表示色を適切に色補正することができる。
【０００８】
本発明の測光装置では、前記第一光入射孔及び前記第二光入射孔は同軸上に設けられていることが好ましい。
本発明では、第一光入射孔と第二光入射孔とは、同軸上に設けられていることから、同軸上における第一方向からの光と第二方向からの光とを受光部により受光することができる。これにより、例えば、第一方向側にディスプレイ等が配置され、第二方向側から外光が入射される場合、ディスプレイ等から出力された光およびディスプレイ等から出力された光の出射位置に実際に影響し得る外光を受光部で受光することができる。
【０００９】
本発明の測光装置では、前記分光フィルターは、前記第一遮光部と前記第二遮光部との間で、前記第一光入射孔及び前記第二光入射孔の中心を通る仮想軸線上に設けられ、前記受光部は、前記分光フィルターの前記第一遮光部側に、かつ、前記第一光入射孔から入射する光の光路に対して進退自在に設けられ、前記第一光入射孔から入射する光の光路に配置された際に、前記第二光入射孔から入射され前記分光フィルターを通過した光を受光する第一受光部と、前記分光フィルターの前記第二遮光部側に、かつ、前記第二光入射孔から入射する光の光路に対して進退自在に設けられ、前記第二光入射孔から入射する光の光路に配置された際に、前記第一光入射孔から入射され前記分光フィルターを通過した光を受光する第二受光部と、を備えたことが好ましい。
【００１０】
本発明では、第一遮光部側に設けられた第一受光部と第二遮光部側に設けられた第二受光部とが進退自在に設けられているので、第二光入射孔から入射され分光フィルターを通過した光を受光する場合、第一受光部は、第一光入射孔から入射する光の光路に配置され、第二受光部は、第二光入射孔から入射する光の光路に重ならないように退避する。これにより、第一受光部は、確実に第二光入射孔から入射され分光フィルターを通過した光を受光することができる。これに対して、第一光入射孔から入射され分光フィルターを通過した光を受光する場合、第二受光部は、第一光入射孔から入射する光の光路に配置され、第一受光部は、第一光入射孔から入射する光の光路に重ならないように退避する。これにより、第一受光部は、確実に第二光入射孔から入射され分光フィルターを通過した光を受光できる。
【００１１】
本発明の測光装置では、前記分光フィルターは、前記第一遮光部と前記第二遮光部との間で、前記第一光入射孔及び前記第二光入射孔の中心を通る仮想軸線上に設けられ、前記第一光入射孔から入射する光の光路に対して進退自在に設けられ、前記第一光入射孔から入射する光の光路に配置された際に、前記第二光入射孔から前記分光フィルターに入射し前記分光フィルターから出射された光を前記受光部に導く第一導光光学系と、前記第二光入射孔から入射する光の光路に対して進退自在に設けられ、前記第二光入射孔から入射する光の光路に配置された際に、前記第一光入射孔から前記分光フィルターに入射し前記分光フィルターから出射された光を前記受光部に導く第二導光光学系と、を備えたことが好ましい。
【００１２】
本発明では、第一光入射孔から入射する光の光路に第一導光光学系が配置された際に、当該第一導光光学系が第二光入射孔から分光フィルターに入射し、当該分光フィルターから出射された光を受光部に導き、第二光入射孔から入射する光の光路に第二導光光学系が配置された際に、当該第二導光光学系が第一入射孔から分光フィルターに入射し、当該分光フィルターから出射された光を受光部に導く。これにより、受光部を１つ設けるのみで第一光入射孔から入射し分光フィルターを介した光及び第二光入射孔から入射し分光フィルターを介した光を確実に受光できる。
【００１３】
本発明の測光装置では、前記分光フィルターは、互いに対向する一対の反射膜を有する波長可変型のファブリーペローエタロンであることが好ましい。
本発明では、分光フィルターは、一対の反射膜に入射した入射光を干渉させて、特定の波長の光を透過させる、波長可変型のファブリーペローエタロンにより構成されている。このようなファブリーペローエタロンは、例えばＡＯＴＦ（Acousto-Optic Tunable Filter）やＬＣＴＦ（Liquid Crystal Tunable Filters）等の分光素子と比べ小型化が可能であり、測光装置および画像表示装置に容易に組み込むことができる。例えば、薄型の携帯電話への分光カメラの搭載等も可能となる。
【００１４】
本発明の測光装置において、前記分光フィルターは、前記一対の反射膜のギャップ寸法を変更するギャップ変更部を備えていることが好ましい。
本発明では、ギャップ変更部により一対の反射膜のギャップ寸法を変更することができるので、一対の反射膜を透過させる光の波長を変更することができる。
【００１５】
本発明の画像表示装置は、第一方向からの光を通過させる第一光入射孔が備えられた第一遮光部、及び前記第一方向と異なる第二方向からの光を通過させる第二光入射孔が備えられた第二遮光部を有する筐体と、前記筐体内に設けられ、入射光のうち所定波長の光を出射させる分光フィルターと、前記筐体内に設けられ、前記分光フィルターから出射された光を受光する受光部と、を備え、前記受光部が、前記第一光入射孔から当該分光フィルターに入射された入射光の前記所定波長の光と、前記第二光入射孔から当該分光フィルターに入射された光の前記所定波長の光とをそれぞれ独立して受光する測光装置と、画像を表示する表示部と、前記表示部および前記測光装置を制御する制御部と、を備え、前記測光装置の前記第一遮光部は、前記表示部に対向して設けられ、前記第二遮光部は、当該測光装置における前記第一遮光部とは反対側に設けられ、前記制御部は、前記受光部により受光された前記第一光入射孔から当該分光フィルターに入射された入射光の前記所定波長の光の光量と、前記第二光入射孔から当該分光フィルターに入射された光の前記所定波長の光と前記第一光入射孔から入射された光の光量と、に基づいて、前記入射光のスペクトルを取得し、前記スペクトルに基づいて前記表示部の色補正を行う色補正手段を備えたことを特徴とする。
【００１６】
本発明では、測光装置を備え、測光装置の受光部は、第一光入射孔から入射された光に基づく所定波長の光と、第二光入射孔から入射された光に基づく所定波長の光とをそれぞれ独立して受光する。すなわち、同時に第一光入射孔および第二光入射孔から入射された光に基づく所定波長の光を同時に受光することがないので、受光部が１つでもよい。これにより、分光フィルターを複数設けることなく、１つの分光フィルターおよび１つの受光部を用いることで、それぞれ異なる方向から筐体内に入射される光を確実に受光部にて受光し、測色精度を高めることができる。また、測光装置の第一遮光部が表示部に対向するように配置されるので、第一光入射孔からは、表示部からの光が入射し、第一遮光部に対向する第二遮光部の第二光入射孔からは、外光が入射される。このため、制御部は、このような測光装置の受光部により受光された第一光入射孔から当該分光フィルターに入射された表示部からの入射光の前記所定波長の光の光量と、前記第二光入射孔から当該分光フィルターに入射された外光の前記所定波長の光の光量と、に基づいて、入射光のスペクトルを取得し当該スペクトルに基づいて表示部の色補正を実施する。
このような構成では、分光フィルターを介した第一光入射孔から入射された表示部からの光に基づく所定波長の光と、第二光入射孔から入射された外光に基づく所定波長の光を受光することで、各波長における光量を正確に取得することができるので、表示部から出力された光の正確なスペクトルおよび表示部に照射される外光のスペクトルを取得することができる。したがって、表示部から出力される正確なスペクトルに外光のスペクトルの影響を考慮して適切に表示部の色補正を行うことができる。
【００１７】
本発明の画像表示装置において、前記表示部は、画像を表示する表示領域と、表示領域を囲うベゼル部とを備え、前記測光装置は、前記ベゼル部から前記表示領域に進退自在に設けられていることが好ましい。
本発明では、測光装置がベゼル部から表示領域に進退自在となるように設けられている。このため、表示部で通常の画像表示を行う場合には、測光装置をベゼル部内に収納することができ、表示の妨げになる不都合を防止できる。
【図面の簡単な説明】
【００１８】
【図１】本発明に係る第一実施形態における測光装置および画像表示装置の概略を示す正面図。
【図２】第一実施形態の画像表示装置の側断面図。
【図３】第一実施形態の測光装置の概略構成を示す正面図。
【図４】第一実施形態の測光装置の断面図。
【図５】第一実施形態の波長可変干渉フィルターの概略を示す断面図。
【図６】第一実施形態の画像表示装置のブロック図。
【図７】第一実施形態の画像表示装置における画像表示処理を示すフローチャート。
【図８】本発明に係る第二実施形態における画像表示装置の測光装置の概略構成を示す断面図。
【図９】本発明に係る第三実施形態における画像表示装置の測光装置の概略構成を示す断面図。
【図１０】液晶ディスプレイから出力される光のスペクトルの一例を示す図。
【発明を実施するための形態】
【００１９】
［第一実施形態］
以下、本発明に係る第一実施形態の測光装置および当該測光装置を備える画像表示装置について図面に基づいて説明する。
［画像表示装置の全体構成］
図１は、本実施形態の画像表示装置の概略を示す正面図である。図２は、本実施形態の画像表示装置における断面図である。
図１において、本実施形態の画像表示装置１は、画像を表示させる表示部１０と、表示部１０を保持する外装部２０とを備えている。
【００２０】
表示部１０は、図１および図２に示すように、本発明の表示部（表示領域）であるディスプレイ１１と、ディスプレイ１１を保持するベゼル部１２とを備えている。
ディスプレイ１１は、例えば液晶パネル、ＰＤＰ（Plasma Display Panel）、有機ＥＬ等、いかなる表示パネルにより構成されていてもよい。
ベゼル部１２は、ディスプレイ１１の外周を保持する枠部材である。ベゼル部１２には、図２に示すように、測光装置３０が設けられている。
また、外装部２０の内部には、ディスプレイ１１や測光装置３０を制御する制御部４０（図６参照）が設けられており、制御部４０により画像表示装置１の全体動作が制御されている。なお、制御部４０の詳細な構成については後述する。
【００２１】
［測光装置の構成］
次に、ベゼル部１２に設けられた測光装置３０について、図面に基づいて説明する。
図３は、ベゼル部１２の測光装置３０が設けられた位置近傍を拡大した正面図である。図４は、測光装置３０の断面を示す図である。
ディスプレイ１１を囲うベゼル部１２には、測光装置３０が取り付けられている。なお、測光装置３０が設けられる位置として、図１および図２において、ディスプレイ１１の上辺中心位置に対応した位置を例示するが、これに限定されず、例えばディスプレイ１１の角部であってもよく、下辺や側辺に設けられる構成としてもよい。
【００２２】
ベゼル部１２には、図２から図４に示すように、測光装置３０を収納可能な収納部１２１が設けられており、測光装置３０は、この収納部１２１に収納可能に設けられている。
具体的には、測光装置３０は、図４に示すように、収納部１２１に収納可能な筐体３１を備え、この筐体３１は、回動軸３２によりベゼル部１２の収納部１２１に取り付けられている。これにより、筐体３１を、回動軸３２を中心に回動させることで、測光装置３０が、ベゼル部１２の収納部１２１からディスプレイ１１に対向する領域に進退自在となる。
【００２３】
筐体３１は、図４に示すように、第一遮光部３１１と、第二遮光部３１２と、を備え、これら遮光部３１１，３１２は、遮光性部材により構成されている。また、筐体３１の内部には、本発明の分光フィルターとしての波長可変干渉フィルター５、本発明の受光部を構成する光センサー３４１，３４２および受光回路基板３５１，３５２、およびフィルター制御回路３６が配置されている。
第一遮光部３１１は、回動軸３２を回動させて筐体３１をディスプレイ１１側に進出させた際に、当該ディスプレイ１１に対向するように配置されるパネルである。第二遮光部３１２は、筐体３１におけるディスプレイ１１とは反対側に配置されるパネルである。
また、第一遮光部３１１の一部には、第一方向からの光、すなわち、ディスプレイ１１から出力された光を筐体３１の内部に入射させる第一光入射孔３３１が設けられている。また、第二遮光部３１２の一部には、第二方向からの光、すなわち、外光を筐体３１の内部に入射させる第二光入射孔３３２が設けられている。これら第一光入射孔３３１および第二光入射孔３３２は、ディスプレイ１１から見た平面視で重なる位置、すなわち、同軸上に設けられている。
【００２４】
第一遮光部３１１の内側面には、第一受光回路基板３５１が配置される。第一受光回路基板３５１は遮光性を有し、第二遮光部３１２に対向する表面には、第一光センサー３４１が設けられる。これらの第一光センサー３４１及び第一受光回路基板３５１は、一体となって、図４に示す矢印Ａ１に沿って進退可能に設けられている。すなわち、第一光センサー３４１および第一受光回路基板３５１は、第一光入射孔３３１から入射する光の光路に対して進退自在に設けられる。
同様に、第二遮光部３１２の内側面には、第二受光回路基板３５２が配置される。
第二受光回路基板３５２は遮光性を有し、第一遮光部３１１に対向する表面には、第二光センサー３４２が設けられる。これらの第二光センサー３４２と第二受光回路基板３５２は、一体となって、図４に示す矢印Ｂ１に沿って進退可能に設けられている。すなわち、第二光センサー３４２および第二受光回路基板３５２は、第二光入射孔３３２から入射する光の光路に対して進退自在に設けられる。
これら第一受光回路基板３５１および第二受光回路基板３５２には、第一光センサー３４１および第二光センサー３４２を駆動させるセンサー駆動回路等が設けられている。また、第一受光回路基板３５１および第二受光回路基板３５２は、画像表示装置１の制御部４０に接続され、各光センサー３４１，３４２の検出結果（検出された光の光量に基づいた検出信号）を制御部４０に出力する。
【００２５】
波長可変干渉フィルター５は、第一遮光部３１１と第二遮光部３１２との間で、かつ、第一光入射孔３３１及び第二光入射孔３３２の孔軸上に設けられる。なお、波長可変干渉フィルター５の具体的な構成については後述する。
また、波長可変干渉フィルター５の近傍には、波長可変干渉フィルター５の駆動を制御するフィルター制御回路３６が配置される。このフィルター制御回路３６は、波長可変干渉フィルター５において当該波長可変干渉フィルター５を透過する光の波長を設定する等の制御を行う。
【００２６】
このような測光装置３０では、例えば、以下のようにしてディスプレイ１１から出力される光を第二光センサー３４２で受光（測光）し、外光を第一光センサー３４１で受光（測光）する。
具体的には、外光を受光する場合、第二光入射孔３３２から外光が入射できるように、第二受光回路基板３５２を退避させて、第一受光回路基板３５１により第一光入射孔３３１を塞ぎ、第一光センサー３４１を第二光入射孔３３２から入射される光の光路上に配置する。これにより、第二光入射孔３３２から入射された外光のうち、波長可変干渉フィルター５を透過した所定波長の光が第一光センサー３４１に受光される。
また、ディスプレイ１１から出力される光を受光する場合、第一光入射孔３３１からディスプレイ１１から出力される光が入射できるように、第一受光回路基板３５１を退避させて、第二受光回路基板３５２により第二光入射孔３３２を塞ぎ、第二光センサー３４２を第一光入射孔３３１から入射される光の光路上に配置する。これにより、第一光入射孔３３１から入射されたディスプレイ１１から出力される光のうち、波長可変干渉フィルター５を透過した所定波長の光が第二光センサー３４２に受光される。
すなわち、第一光入射孔３３１から入射される光を測光する場合には、第二光入射孔３３２は塞がれた状態であり、一方、第二光入射孔３３２から入射される光を測光する場合には、第一光入射孔３３１は塞がれた状態となる。これにより、各光センサー３４１，３４２は、入射される光をそれぞれ独立して受光（測光）することができる。
【００２７】
（波長可変干渉フィルターの構成）
図５は、波長可変干渉フィルター５の概略構成を示す断面図である。
本実施形態の波長可変干渉フィルター５は、本発明の分光フィルターを構成する、波長可変型ファブリーペローエタロンである。この波長可変干渉フィルター５は、図５に示すように、本発明の第一基板である固定基板５１と、本発明の第二基板である可動基板５２とを備えている。これらの固定基板５１および可動基板５２は、それぞれ例えば各種ガラスや、水晶、シリコンなどにより形成されている。そして、これらの固定基板５１および可動基板５２は、固定基板５１の第一接合部５１３および可動基板５２の第二接合部５２３が、例えばシロキサンを主成分とするプラズマ重合膜などにより構成された接合膜５３により接合されることで、一体的に構成されている。
【００２８】
固定基板５１には、本発明の第一反射膜である固定反射膜５４が設けられ、可動基板５２には、本発明の第二反射膜である可動反射膜５５が設けられており、これらの固定反射膜５４および可動反射膜５５は、反射膜間ギャップＧ１を介して対向配置されている。そして、波長可変干渉フィルター５には、この反射膜間ギャップＧ１の大きさ（反射膜５４，５５間の距離，隙間寸法）を調整（変更）するのに用いられる静電アクチュエーター５６が設けられている。この静電アクチュエーター５６は、固定基板５１に設けられた固定電極５６１と、可動基板５２に設けられた可動電極５６２とにより構成されている。これらの電極５６１，５６２は、電極間ギャップを介して対向し、本発明のギャップ変更部である静電アクチュエーター５６として機能する。ここで、これらの電極５６１，５６２は、それぞれ固定基板５１および可動基板５２の基板表面に直接設けられる構成であってもよく、他の膜部材を介して設けられる構成であってもよい。なお、図５では、電極間ギャップの隙間寸法が、反射膜間ギャップＧ１の隙間寸法より大きい例を示すが、電極間ギャップが反射膜間ギャップＧ１よりも小さくなる構成などとしてもよい。
【００２９】
以下、波長可変干渉フィルター５の構成についてより詳細に説明する。
固定基板５１には、エッチングにより電極設置溝５１１および反射膜設置部５１２が形成されている。この固定基板５１は、可動基板５２に対して厚み寸法が大きく形成されており、静電アクチュエーター５６に電圧を印加した際の静電引力や、固定電極５６１の内部応力による固定基板５１の撓みはない。
【００３０】
電極設置溝５１１は、例えば、固定基板５１の平面中心点を中心とした環状に形成されている。反射膜設置部５１２は、前記平面視において、電極設置溝５１１の中心から可動基板５２側に突出して形成されている。この電極設置溝５１１の溝底面は、固定電極５６１が配置される電極設置面５１１Ａとなる。また、反射膜設置部５１２の突出先端面は、反射膜設置面５１２Ａとなる。
また、図示は省略するが、固定基板５１には、電極設置溝５１１から、固定基板５１の外周縁に向かって延出する電極引出溝が設けられており、電極設置溝５１１に設けられた固定電極５６１の引出電極が設けられている。
【００３１】
電極設置溝５１１の電極設置面５１１Ａには、固定電極５６１が設けられている。より具体的には、固定電極５６１は、電極設置面５１１Ａのうち、後述する可動部５２１の可動電極５６２に対向する領域に設けられている。また、固定電極５６１上に、固定電極５６１および可動電極５６２の間の絶縁性を確保するための絶縁膜が積層される構成としてもよい。また、固定電極５６１には、固定引出電極が接続されており、この固定引出電極は、上述した電極引出溝から固定基板５１の外周部に引き出され、フィルター制御回路３６に接続されている。
【００３２】
なお、本実施形態では、電極設置面５１１Ａに１つの固定電極５６１が設けられる構成を示すが、例えば、平面中心点を中心とした同心円となる２つの電極が設けられる構成（二重電極構成）などとしてもよい。
【００３３】
反射膜設置部５１２は、上述したように、電極設置溝５１１と同軸上で、電極設置溝５１１よりも小さい径寸法となる略円柱状に形成され、当該反射膜設置部５１２の可動基板５２に対向する反射膜設置面５１２Ａを備えている。
この反射膜設置部５１２には、固定反射膜５４が設置されている。この固定反射膜５４としては、例えばＡｇ等の金属膜や、Ａｇ合金等の合金膜を用いることができる。また、例えば高屈折層をＴｉＯ２、低屈折層をＳｉＯ２とした誘電体多層膜を用いてもよい。さらに、誘電体多層膜上に金属膜（又は合金膜）を積層した反射膜や、金属膜（又は合金膜）上に誘電体多層膜を積層した反射膜、単層の屈折層（ＴｉＯ２やＳｉＯ２等）と金属膜（又は合金膜）とを積層した反射膜などを用いてもよい。
【００３４】
可動基板５２は、平面中心点を中心とした円形状の可動部５２１と、可動部５２１と同軸であり可動部５２１を保持する保持部５２２と、保持部５２２の外側に設けられた基板外周部５２５と、を備えている。
【００３５】
可動部５２１は、保持部５２２よりも厚み寸法が大きく形成され、例えば、本実施形態では、可動基板５２の厚み寸法と同一寸法に形成されている。この可動部５２１は、フィルター平面視において、少なくとも反射膜設置面５１２Ａの外周縁の径寸法よりも大きい径寸法に形成されている。そして、この可動部５２１には、可動電極５６２および可動反射膜５５が設けられている。
【００３６】
可動電極５６２は、電極間ギャップを介して固定電極５６１に対向し、固定電極５６１と同一形状となる環状に形成されている。また、図示は省略するが、可動基板５２には、可動電極５６２の外周縁から可動基板５２の外周縁に向かって延出する可動引出電極が設けられている。この可動引出電極は、固定引出電極と同様に、フィルター制御回路３６に接続される。
可動反射膜５５は、可動部５２１の可動面５２１Ａの中心部に、固定反射膜５４と反射膜間ギャップＧ１を介して対向して設けられる。この可動反射膜５５としては、上述した固定反射膜５４と同一の構成の反射膜が用いられる。
【００３７】
保持部５２２は、可動部５２１の周囲を囲うダイアフラムであり、可動部５２１よりも厚み寸法が小さく形成されている。このような保持部５２２は、可動部５２１よりも撓みやすく、僅かな静電引力により、可動部５２１を固定基板５１側に変位させることが可能となる。この際、可動部５２１が保持部５２２よりも厚み寸法が大きく、剛性が大きくなるため、保持部５２２が静電引力により固定基板５１側に引っ張られた場合でも、可動部５２１の形状変化が起こらない。したがって、可動部５２１に設けられた可動反射膜５５の撓みも生じず、固定反射膜５４および可動反射膜５５を常に平行状態に維持することが可能となる。
なお、本実施形態では、ダイアフラム状の保持部５２２を例示するが、これに限定されず、例えば、平面中心点を中心として、等角度間隔で配置された梁状の保持部が設けられる構成などとしてもよい。
【００３８】
基板外周部５２５は、上述したように、フィルター平面視において保持部５２２の外側に設けられている。この基板外周部５２５の固定基板５１に対向する面は、第一接合部５１３に対向する第二接合部５２３を備え、第二接合部５２３は、接合膜５３により第一接合部５１３に接合されている。
【００３９】
以上のような波長可変干渉フィルター５では、固定電極５６１および可動電極５６２により静電アクチュエーター５６が構成されており、これらの電極５６１，５６２がフィルター制御回路３６に接続されている。そして、制御部４０の制御の下、フィルター制御回路３６から静電アクチュエーター５６に電圧が印加されることで、電圧に応じた静電引力が電極５６１，５６２間に作用し、反射膜間ギャップＧ１のギャップ寸法が変更される。これにより、波長可変干渉フィルター５を透過する光の波長を変化させることが可能となる。
【００４０】
［制御部の構成］
図６は、本実施形態の画像表示装置１の概略構成を示すブロック図である。
ディスプレイ１１および測光装置３０（図４参照）を制御する制御部４０は、図６に示すように、記憶部４１と、表示制御部４２と、測色処理部４３と、色補正部４４と、を備えている。
記憶部４１は、例えばハードディスクやメモリー等により構成されている。この記憶部４１には、各種データとしては、波長可変干渉フィルター５の静電アクチュエーター５６に印加する駆動電圧に対する、当該波長可変干渉フィルター５を透過する光の波長の関係を示すＶ−λデータが記憶される。
また、記憶部４１には、ディスプレイ１１に画像を表示させる際に、元画像の色データをディスプレイ１１上で再現させるためのデータであり、各色データに対するディスプレイ１１を制御するためのパラメーター（例えば液晶パネルでは、ＲＧＢの各色の透過率を所定値に設定するために液晶に印加する電圧等）を記憶したデバイスプロファイルデータが記録される。
【００４１】
表示制御部４２は、記憶部４１に記憶されたデバイスプロファイルデータに基づいて、ディスプレイ１１を制御する。
測色処理部４３は、フィルター制御回路３６を駆動させ、波長可変干渉フィルター５の静電アクチュエーター５６を駆動させるフィルター制御手段４３１と、表示測色手段４３２と、外光測色手段４３３と、を備える。
【００４２】
フィルター制御手段４３１は、記憶部４１に記憶されたＶ−λデータを参照し、波長可変干渉フィルター５を透過させる光の波長に対する駆動電圧を読み出す。そして、フィルター制御手段４３１は、フィルター制御回路３６を制御して、読み出した駆動電圧を波長可変干渉フィルター５の静電アクチュエーター５６に印加させる。
表示測色手段４３２は、第一受光回路基板３５１を退避させて（第一光入射孔３３１を開口状態にさせて）、第二受光回路基板３５２および第二光センサー３４２を第一光入射孔３３１から入射される光（ディスプレイ１１から出力される光）の光路上に配置する。また、表示測色手段４３２は、第二光センサー３４２から第二受光回路基板３５２を介して入力された検出信号に基づき、第二光センサー３４２で受光されたディスプレイ１１からの光の光量を取得する。また、表示測色手段４３２は、各波長の光の光量に基づき、ディスプレイから出力される光の分光スペクトルを算出する。
【００４３】
外光測色手段４３３は、第二受光回路基板３５２を退避させて（第二光入射孔３３２を開口状態にさせて）、第一受光回路基板３５１および第一光センサー３４１を第二光入射孔３３２から入射される光（外光）の光路上に配置する。また、外光測色手段４３３は、第一光センサー３４１から第一受光回路基板３５１を介して入力された検出信号に基づき、外光の光量を取得する。また、外光測色手段４３３は、各波長の光の光量に基づき、外光の分光スペクトルを算出する。
本発明の色補正手段である色補正部４４は、ディスプレイ１１から出力された光の分光スペクトルと、外光の分光スペクトルに基づいて、デバイスプロファイルデータを補正する。すなわち、ディスプレイ１１に表示される表示色の補正を行う。
【００４４】
［画像表示装置における色補正処理］
次に、上記のような画像表示装置１における色補正処理について、図面に基づいて説明する。図７は、画像表示装置１における色補正処理を示すフローチャートである。
画像表示装置１の色補正処理を実施するためには、まず、測光装置３０をベゼル部１２の収納部１２１からディスプレイ１１側に進出させる。
この後、表示制御部４２は、例えばデバイスプロファイルデータに記憶された色データに基づいてディスプレイ１１に基準色（例えば白色）の画像を表示させる（ステップＳ１）。なお、画像の表示位置としては、測光装置３０に対向する画素領域のみでもよい。
【００４５】
そして、測色処理部４３は、表示部光量（ディスプレイ１１から出力される光の光量）を測定する（ステップＳ２）。
表示部光量の測定では、測色処理部４３は、測光装置３０の状態を検出する。具体的には、測光装置３０の第一光入射孔３３１が開口状態にあり、第二光入射孔３３２が遮光状態にあり、かつ、第一光入射孔３３１から入射される光の光軸上に第二光センサー３４２が位置しているか否かを判定する。これには、例えば、第二光センサー３４２から所定値以上の信号レベルの検出信号が出力されたか否かを判定すればよい。なお、例えば、第一受光回路基板３５１が第一光入射孔３３１から離れた位置に移動した際に第一受光回路基板３５１に係合するスイッチを第一遮光部３１１に設け、第二光センサー３４２が第一光入射孔３３１から入射される光の光路上に位置に移動した際に、第二受光回路基板３５２に係合するスイッチを設ける等の構成などとしてもよい。
測光装置３０が上記状態にないと判定された際には、表示測色手段４３２は、第一受光回路基板３５１を退避させて（第一光入射孔３３１を開口状態にさせて）、第二受光回路基板３５２および第二光センサー３４２を第一光入射孔３３１から入射される光（ディスプレイ１１から出力される光）の光路上に配置させる。一方、測光装置３０が上記状態にあると判定された際には、測色処理部４３は、第一受光回路基板３５１、第二受光回路基板３５２、および第二光センサー３４２を移動制御することなく、その位置を維持させる。
【００４６】
その後、測色処理部４３のフィルター制御手段４３１は、Ｖ−λデータに基づいて、測光装置３０の波長可変干渉フィルター５の静電アクチュエーター５６に電圧を印加する。また、表示測色手段４３２は、第二光センサー３４２からの検出信号に基づいて、波長可変干渉フィルター５から透過された光の光量（表示部光量）を取得する。この際、フィルター制御手段４３１は、静電アクチュエーター５６に印加する電圧を順次変化させ、波長可変干渉フィルター５を透過させる光の波長を所定間隔（例えば１０ｎｍ間隔）で変化させ、表示測色手段４３２は、各波長の光の光量を取得する。また、表示測色手段４３２は、波長と光量とを対応付けて記憶部４１に記憶する。すなわち、記憶部４１には、ディスプレイ１１により基準色を表示させた際に、実際に出力された色のスペクトルデータが記憶される。
【００４７】
この後、測色処理部４３は、外光の光量を測定するため、受光部の切替（第二光センサー３４２から第一光センサー３４１への切替）処理を実行する（ステップＳ３）。
つまり、測色処理部４３は、第二受光回路基板３５２を退避させて（第二光入射孔３３２を開口状態にさせて）、第一受光回路基板３５１および第一光センサー３４１を第二光入射孔３３２から入射される光（外光）の光路上に配置させる。
【００４８】
その後、測色処理部４３は、外光光量（ディスプレイ１１に向けて投射される外光の光量）を測定する（ステップＳ４）。具体的には、測色処理部４３のフィルター制御手段４３１は、ステップＳ３と同様に、Ｖ−λデータに基づいて、測光装置３０の波長可変干渉フィルター５の静電アクチュエーター５６に電圧を印加する。また、外光測色手段４３３は、第一光センサー３４１からの検出信号に基づいて、波長可変干渉フィルター５から透過された光の光量を取得する。このステップＳ４では、ステップＳ２と同様に、静電アクチュエーター５６に印加する電圧を順次変化させ、波長可変干渉フィルター５を透過させる光の波長を所定間隔（例えば１０ｎｍ間隔）で変化させ、各波長の光の光量を取得する。また、測色処理部４３は、波長と光量とを対応付けて記憶部４１に記憶する。すなわち、記憶部４１には、ディスプレイ１１投射される外光の影響に関するスペクトルデータが記憶される。
【００４９】
この後、色補正部４４は、色補正処理を実施する（ステップＳ５）。これには、まず、ステップＳ２により取得した基準色のスペクトルデータから、計測された色の計測色データ（例えばＲＧＢ，Ｌａｂ等のデータ）を算出する。また、色補正部４４は、ステップＳ５により取得した外光に関するスペクトルデータから、計測された色の計測色データを算出する。そして、色補正部４４は、ステップＳ２により取得されたスペクトルデータに基づいて算出された計測色データに予め定められた係数（例えば、係数α＝０．９）を乗じる。また、色補正部４４は、ステップＳ５により取得されたスペクトルデータに基づいて算出された計測色データに予め定められた係数（例えば、係数β＝０．１）を乗じる。そして、色補正部４４は、基準色の元データと、上記係数が乗じられた計測色データの総和と、の差分値を算出し、差分値に基づいて、デバイスプロファイルデータを補正する。
【００５０】
なお、上記色補正処理の例では、基準色の画像に基づいた色補正のみを実施したが、これに限定されず、例えばディスプレイ１１に単一色画像を順次切り替えて表示させ、これらの各画像に対してそれぞれ上記のような色補正処理を実施してもよい。
また、上記色補正処理において、表示部光量測定（ステップＳ２）を外光光量測定（ステップＳ５）より先に実行することとしたが、いずれを先に実行してもよい。
【００５１】
［第一実施形態の作用効果］
本実施形態の画像表示装置１の測光装置３０は、第一遮光部３１１側に設けられた第一受光回路基板３５１および第一光センサー３４１と、第二遮光部３１２側に設けられた第二受光回路基板３５２および第二光センサー３４２と、が進退自在に設けられている。例えば、第二光入射孔３３２から入射され波長可変干渉フィルター５を通過した光を第一光センサー３４１で受光する場合、第二受光回路基板３５２は、第一光入射孔３３１を塞ぐように位置するとともに、第一光センサー３４１は、第二光入射孔３３２から入射する光の光路に重なるように位置し、第二受光回路基板３５２は、第二光入射孔３３２から入射する光の光路に重ならないように退避する。これにより、第一光センサー３４１は、確実に第二光入射孔３３２から入射され波長可変干渉フィルター５を通過した光（ディスプレイ１１から出力される光）を受光することができる。これに対して、第一光入射孔３３１から入射され波長可変干渉フィルター５を通過した光を受光する場合、第一受光回路基板３５１は、第二光入射孔３３２を塞ぐように位置するとともに、第二光センサー３４２は、第一光入射孔３３１から入射する光の光路に重なるように位置し、第一受光回路基板３５１は、第一光入射孔３３１から入射する光の光路に重ならないように退避する。これにより、第二光センサー３４２は、確実に第一光入射孔３３１から入射され波長可変干渉フィルター５を通過した外光を受光することができる。
【００５２】
また、このような構成により、第一光入射孔３３１から入射される光を受光する場合には、第二受光回路基板３５２が第二光入射孔３３２を塞ぐ遮光板の役割をし、第二光入射孔３３２から入射される光を受光する場合には、第一受光回路基板３５１が第一光入射孔３３１を塞ぐ遮光板の役割をする。これにより、各光センサー３４１，３４２は、入射される光をそれぞれ独立して受光（測光）することができる。
【００５３】
本実施形態の画像表示装置１では、ディスプレイ１１に表示された基準色画像の光および外光を、波長可変干渉フィルター５に入射させ、反射膜５４，５５間のギャップ寸法に応じた波長の光を透過させて光センサー３３でその光量を検出する。そして制御部４０は、ギャップ寸法を順次切り替えることで得られた複数波長の光の光量検出結果（ディスプレイ１１から出力された光のスペクトルおよび外光のスペクトル）に基づいて、ディスプレイ１１の表示色の色補正を行う。
液晶ディスプレイ等の表示装置では、ディスプレイ１１から出力される光は、図１０に示すように、ピーク波長に対する光量がピーキーに変化するため、例えばＲＧＢの３バンドで表示色を検出する場合、どの波長に対しての光量であるかを特定することができない。これに対して、本実施形態では、上述したように、各波長の光量を取得するので、ピーク波長に対する光量を精度よく検出できる。さらに、波長可変干渉フィルター５を介した第一光入射孔３３１から入射されたディスプレイ１１から出力される光に基づく各波長の光と、第二光入射孔３３２から入射された外光に基づく各波長の光を受光することで、各波長における光量を正確に取得することができるので、ディスプレイ１１から出力された光の正確なスペクトルおよびディスプレイ１１に照射される外光のスペクトルを取得することができる。したがって、検出された光量に基づいた正確なスペクトルに外光のスペクトルの影響を考慮して、ディスプレイ１１のデバイスプロファイルデータを適切に補正することができ、元画像データに対応した正確な色でディスプレイ１１を制御することができる。
【００５４】
本実施形態では、第一光入射孔３３１と第二光入射孔３３２とは、第二遮光部３１２のディスプレイ１１から見た平面視で重なる位置、すなわち、同軸上に設けられていることから、同軸上でディスプレイ１１からの光と外光とをそれぞれの光センサー３４１，３４２により受光することができる。これにより、より的確にディスプレイ１１から出力された光の正確なスペクトルおよびディスプレイ１１から出力された光の出射位置に実際に影響し得る外光のスペクトルを取得することができる。したがって、ディスプレイ１１から出力される光のスペクトルに実際に影響する外光のスペクトルを検出できるので、ディスプレイ１１のデバイスプロファイルデータをより適切に補正することができ、元画像データに対応した正確な色でディスプレイ１１を制御することができる。
【００５５】
本実施形態では、本発明の分光フィルターとして波長可変干渉フィルター５を用いている。このような波長可変干渉フィルター５では、静電アクチュエーター５６に印加する電圧を変化させることで、反射膜５４，５５間のギャップ寸法を精度よく、かつ容易に変化させることができる。したがって、静電アクチュエーター５６の印加電圧を順次切り替えることで、ディスプレイ１１から出力された光の各波長の光量を精度よく、かつ容易に検出することができる。また、波長可変干渉フィルター５は、固定反射膜５４および固定電極５６１が設けられた固定基板５１と、可動反射膜５５および可動電極５６２が設けられた可動基板５２を対向配置させることで容易に構成することができる。ここで、各基板５１，５２は、それぞれ例えば１ｍｍ以下で形成することができ、反射膜間ギャップＧ１のギャップ寸法は、透過させる光の波長に応じて、例えば１μｍ以下に設定すればよい。したがって、例えばＡＯＴＦやＬＣＴＦ等の分光素子を用いる場合に比べて、小型化および薄型化が可能となり、測光装置３０のサイズも小型化および薄型化（例えば、６．５ｍｍ程度）することができる。したがって、表示部１０のベゼル部１２に対して十分収納可能となり、画像表示装置１に対して簡単な構成で搭載することが可能となる。
【００５６】
本実施形態では、測光装置３０は、回動軸３２によりベゼル部１２に対して回動自在に設けられており、ベゼル部１２の収納部１２１からディスプレイ１１側に進退自在となっている。このため、測色処理を実施していない際（ディスプレイ１１に通常の画像表示を行っている際）には、測光装置３０をベゼル部１２の収納部１２１に収納しておくことができる。また、上述したように、波長可変干渉フィルター５を用いた測光装置３０では、小型化、薄型化が容易であり、ベゼル部１２に収納部１２１を設けたとしても、ベゼル部１２のサイズが大型化することがない。
【００５７】
［第二実施形態］
上述した第一実施形態では、第一光入射孔３３１から入射して波長可変干渉フィルター５を透過した光を受光する第二光センサー３４２と、第二光入射孔３３２から入射して波長可変干渉フィルター５を透過した光を受光する第一光センサー３４１と、２つの光センサー３４１，３４２を設ける構成とした。これに対し、第二実施形態においては、筐体３１内に受光部として第二受光回路基板３５２Ａおよび第二光センサー３４２Ａのみを備えることとした。なお、第二実施形態において、第一実施形態と同様の部材については、同番号を付し、説明を省略する。
図８は、第二実施形態における画像表示装置の測光装置の概略構成を示す断面図である。
第二実施形態に係る画像表示装置１Ａは、図８に示すように、測光装置３０Ａを備えている。測光装置３０Ａは、筐体３１内の構成が第一実施形態と異なる。このため、筐体３１内の構成について、以下に詳しく説明する。
【００５８】
筐体３１の内部には、図８に示すように、本発明の分光フィルターとしての波長可変干渉フィルター５、本発明の受光部を構成する光センサー３４２Ａおよび受光回路基板３５２Ａ、フィルター制御回路３６、本発明の第二導光光学系を構成するミラー３７１，３７２，及び本発明の第一導光光学系を構成するミラー３８１，３８２、および遮光板３９２が配置されている。
【００５９】
第一遮光部３１１の内側面には、断面直角三角形状のミラー３７１と、ミラー３７１と同形状のミラー３７２とが、それぞれ傾斜面（光を反射する反射面）を互いに向けるように、すなわち、反射面が対向するように当該内側面に配置される。これら各ミラー３７１とミラー３７２とは、その間隔を維持したまま、図８に示す矢印Ｃ１に沿って進退可能に設けられている。すなわち、第二導光光学系を構成するミラー３７１，３７２（特に、ミラー３７１）は、第一光入射孔３３１から入射する光の光路に対して進退自在に設けられる。
また、第二遮光部３１２の内側面には、第二受光回路基板３５２Ａが配置される。第二受光回路基板３５２Ａの表面には、第二光センサー３４２Ａが設けられる。これら第二光センサー３４２Ａと第二受光回路基板３５２Ａは、第二光入射孔３３２から回動軸３２の位置する方向に所定距離離れた位置に固定されている。
また、第二光センサー３４２Ａの近傍には、ミラー３７１，３７２と同形状のミラー３８２が配置され、ミラー３８２に対向する位置には、ミラー３８２と同形状のミラー３８１が配置されている。ミラー３８１は、前述した第一遮光部３１１の内側面に設けられたミラー３７１と互いに反射面を対向させるように配置される。また、ミラー３８２は、前述したミラー３７２と同方向を向いた状態で第二光センサー３４２Ａ近傍に配置される。これらミラー３８１とミラー３８２とは、その間隔を維持したまま、図８に示す矢印Ｄ１に沿って進退可能に設けられている。すなわち、第一導光光学系を構成するミラー３８１，３８２は、第二光入射孔３３２から入射する光の光路に対して進退自在に設けられる。
【００６０】
遮光板３９２は、第二遮光部３１２の内側面に設けられる。具体的には、第二光入射孔３３２を塞ぐ位置に設けられ、図８の矢印Ｅ１に沿って進退可能に設けられている。これにより、第二光入射孔３３２からの光の入射を遮光板３９２の駆動により、自在に制御できる。なお、ミラー３７１のディスプレイ１１側の面に遮光剤等が塗布されているので、第一光入射孔３３１からの光の入射は、ミラー３７１を進退移動させることにより、自在に制御できる。
波長可変干渉フィルター５は、ミラー３７１，３７２とミラー３８１，３８２との間に設けられる。このように波長可変干渉フィルター５は、ミラー３７１，３７２とミラー３８１，３８２との間に設けられるので、第一光入射孔３３１および第二光入射孔３３２のいずれかから入射された光が波長可変干渉フィルター５およびミラー３７１，３７２、又は波長可変干渉フィルター５およびミラー３８１，３８２を介して第二光センサー３４２Ａに供給される。
【００６１】
このような測光装置３０Ａでは、例えば、以下のようにしてディスプレイ１１から出力される光の分光スペクトルと、外光の分光スペクトルと、を１つの受光部（第二光センサー３４２Ａ）により受光（測光）する。なお、以下に示す各種制御は、第一実施形態と同様、制御部４０により制御される。例えば、第一光入射孔３３１から入射され、波長可変干渉フィルター５を通過した光を受光する場合、第一光入射孔３３１から外光が入射できるように、ミラー３７１，３７２を回動軸３２方向に退避させて、遮光板３９２を回動軸３２方向に移動させ、第二光入射孔３３２を塞ぎ、ミラー３８１を第一光入射孔３３１から入射される光の光軸に一致する位置に移動させる。これにより、第一光入射孔３３１から入射されたディスプレイ１１から出力された光は、波長可変干渉フィルター５に入射され、入射された光のうち、所定波長の光がミラー３８１に供給される。そして、ミラー３８１に供給された光は、ミラー３８１の反射面により反射され、ミラー３８２に供給される。ミラー３８２に供給された光は、当該ミラー３８２の反射面にて第二光センサー３４２Ａに向けて反射され、第二光センサー３４２Ａに供給されこととなる。すなわち、第一光入射孔３３１から入射された光は、図８の破線Ｌ１に沿って第二光センサー３４２Ａに供給される。
【００６２】
また、第二光入射孔３３２から入射され、波長可変干渉フィルター５を通過した光を受光する場合、第二光入射孔３３２から外光が入射できるように、遮光板３９２を回動軸３２と逆方向に退避させる。そして、ミラー３７１を第一光入射孔３３１から入射される光の光路上に配置することにより、第一光入射孔３３１を塞ぐ。これにより、第二光入射孔３３２から入射されたディスプレイ１１から出力された光は、波長可変干渉フィルター５に入射され、入射された光のうち、所定波長の光がミラー３７１に供給される。そして、ミラー３７１に供給された光は、ミラー３７１の反射面により反射され、ミラー３７２に供給される。ミラー３７２に供給された光は、当該ミラー３７２の反射面にて第二光センサー３４２Ａに向けて反射され、第二光センサー３４２Ａに供給されこととなる。すなわち、第二光入射孔３３２から入射された光は、図８の破線Ｌ２に沿って第二光センサー３４２Ａに供給される。
このように、第一光入射孔３３１から入射される光を測光する場合には、第二光入射孔３３２はミラー３７１により塞がれた状態であり、一方、第二光入射孔３３２から入射される光を測光する場合には、第一光入射孔３３１は、遮光板３９２により塞がれた状態となる。これにより、第二光センサー３４２Ａには、入射される光をそれぞれ独立して受光（測光）することができる。
【００６３】
［第二実施形態の作用効果］
本実施形態では、ディスプレイ１１から出力された光が第一光入射孔３３１から筐体３１内に入射され、当該入射光が波長可変干渉フィルター５およびミラー３８１，３８２を介して所定波長の光として第二光センサー３４２Ａに向けて供給される。また、外光が第二光入射孔３３２から筐体３１内に入射され、当該入射光が波長可変干渉フィルター５およびミラー３７１，３７２を介して所定波長の光として第二光センサー３４２Ａに向けて供給される。そして、第二光センサー３４２Ａは、第一光入射孔３３１から入射された光に基づく所定波長の光と、第二光入射孔３３２から入射された光に基づく所定波長の光とをそれぞれ独立して受光する。すなわち、同時に第一光入射孔３３１および第二光入射孔３３２から入射された光に基づく所定波長の光を同時に受光することがないので、１つの第二光センサー３４２Ａであっても２方向から入射される光を受光できる。これにより、１つの波長可変干渉フィルター５および１つの第二光センサー３４２Ａを用いることで、それぞれ異なる方向から筐体３１内に入射される光を確実に第二光センサー３４２Ａにて受光し、測色精度を高めることができる。
すなわち、本発明の測光装置３０Ａを利用する機器、例えば、画像表示装置１Ａによれば、測光装置３０Ａにより取得された精度の高い受光データを用いて、ディスプレイ１１の表示色を適切に色補正することができる。
【００６４】
［第三実施形態］
上述した第一実施形態では、第一光入射孔３３１および第二光入射孔３３２をディスプレイ１１から見た平面視で同軸に配置し、第一光センサー３４１および第一受光回路基板３５１と、第二光センサー３４２および第二受光回路基板３５２と、を進退可能に筐体３１内に設ける構成とした。これに対し、第三実施形態においては、波長可変干渉フィルター５を進退移動可能に設けることとした。なお、第三実施形態において、第一実施形態と同様の部材については、同番号を付し、説明を省略する。
図９は、第三実施形態における画像表示装置の測光装置の概略構成を示す断面図である。
第三実施形態に係る画像表示装置１Ｂは、図９に示すように、測光装置３０Ｂを備えている。測光装置３０Ｂは、筐体３１内の構成が第一実施形態と異なる。このため、筐体３１内の構成について、以下に詳しく説明する。
【００６５】
筐体３１の内部には、図９に示すように、本発明の分光フィルターとしての波長可変干渉フィルター５Ｂ、本発明の受光部を構成する光センサー３４１Ｂ，３４２Ｂおよび受光回路基板３５１Ｂ，３５２Ｂ、フィルター制御回路３６、および遮光板３９１Ｂ，３９２Ｂが配置されている。
【００６６】
第一遮光部３１１の一部には、第一光入射孔３３１Ｂが設けられ、第二遮光部３１２の一部には、第二光入射孔３３２Ｂが設けられている。これら第一光入射孔３３１Ｂおよび第二光入射孔３３２Ｂは、ディスプレイ１１から見た平面視で異なる位置に設けられ、第一光入射孔３３１Ｂは、第二光入射孔３３２Ｂより回動軸３２側に設けられている。
第一遮光部３１１の内側面で、かつ、第二光入射孔３３２Ｂに対向する位置には、第一受光回路基板３５１Ｂが配置される。第一受光回路基板３５１Ｂの表面で、かつ、第二光入射孔３３２Ｂから入射される光の光路上には、第一光センサー３４１Ｂが設けられる。
また、第二遮光部３１２の内側面で、かつ、第一光入射孔３３１Ｂに対向する位置には、第二受光回路基板３５２Ｂが配置される。第二受光回路基板３５２Ｂの表面で、かつ、第一光入射孔３３１Ｂから入射される光の光路上には、第二光センサー３４２Ｂが設けられる。
また、第一受光回路基板３５１および第二受光回路基板３５２は、画像表示装置１の制御部４０に接続され、各光センサー３４１Ｂ，３４２Ｂの検出結果（検出された光の光量に基づいた検出信号）を制御部４０に出力する。
【００６７】
遮光板３９１Ｂは、第二遮光部３１２の内側面に設けられる。具体的には、第一光入射孔３３１Ｂを塞ぐ位置に設けられ、図９の矢印Ｈ１に沿って進退可能に設けられている。これにより、第一光入射孔３３１からの光の入射を遮光板３９１Ｂの駆動により、自在に制御できる。また、遮光板３９２Ｂは、第二遮光部３１２の内側面に設けられる。具体的には、第二光入射孔３３２Ｂを塞ぐ位置に設けられ、図９の矢印Ｈ２に沿って進退可能に設けられている。これにより、第二光入射孔３３２Ｂからの光の入射を遮光板３９２Ｂの駆動により、自在に制御できる。
波長可変干渉フィルター５Ｂは、第一遮光部３１１と第二遮光部３１２との間、すなわち、第一遮光部３１１側に設けられる第一光センサー３４１Ｂと第二遮光部３１２側に設けられる第二光センサー３４２Ｂとの間に設けられる。波長可変干渉フィルター５Ｂは、図９に示す矢印Ｆ１に沿って進退可能に設けられている。
【００６８】
このような測光装置３０では、例えば、以下のようにしてディスプレイ１１から出力される光の分光スペクトルと、外光の分光スペクトルとを各光センサー３４１Ｂ，３４２Ｂにより受光（測光）する。例えば、第二光入射孔３３２Ｂから入射され、波長可変干渉フィルター５Ｂを通過した光を受光する場合、第二光入射孔３３２Ｂから外光が入射できるように、遮光板３９２Ｂを退避させて、遮光板３９１Ｂを第一光入射孔３３１Ｂに重なるように配置し当該第一光入射孔３３１Ｂを塞ぎ、波長可変干渉フィルター５Ｂを第二光入射孔３３２から入射される光の光路上に配置する。これにより、第二光入射孔３３２から入射された外光は、波長可変干渉フィルター５Ｂに入射され、入射された光のうち、所定波長の光が第一光センサー３４１Ｂに入射される。
また、第一光入射孔３３１Ｂから入射され、波長可変干渉フィルター５Ｂを通過した光を受光する場合、第一光入射孔３３１Ｂからディスプレイ１１から出力される光が入射できるように、遮光板３９１Ｂを退避させて、遮光板３９２Ｂを第二光入射孔３３２Ｂに重なるように配置し当該第二光入射孔３３２Ｂを塞ぎ、波長可変干渉フィルター５Ｂを第一光入射孔３３１Ｂから入射される光の光路上に配置する。これにより、第一光入射孔３３１Ｂから入射されたディスプレイ１１から出力される光は、波長可変干渉フィルター５Ｂに入射され、入射された光のうち、所定波長の光が第二光センサー３４２Ｂに入射される。
すなわち、第一光入射孔３３１Ｂから入射される光を測光する場合には、第二光入射孔３３２Ｂは遮光板３９２Ｂにより塞がれた状態であり、一方、第二光入射孔３３２Ｂから入射される光を測光する場合には、第一光入射孔３３１Ｂは遮光板３９１Ｂにより塞がれた状態となる。これにより、各光センサー３４１Ｂ，３４２Ｂには、入射される光をそれぞれ独立して受光（測光）することができる。
【００６９】
[第三実施形態の作用効果]
本実施形態では、ディスプレイ１１から出力された光が第一光入射孔３３１Ｂから筐体３１内に入射され、当該入射光が波長可変干渉フィルター５Ｂを介して所定波長の光として第二光センサー３４２Ｂに向けて入射される。また、外光が第二光入射孔３３２Ｂから筐体３１内に入射され、当該入射光が波長可変干渉フィルター５Ｂを介して所定波長の光として第一光センサー３４１Ｂに向けて供給される。この場合、波長可変干渉フィルター５Ｂが移動することにより、筐体３１内に入射された光を分光する。このため、第一光入射孔３３１Ｂと第二光センサー３４２Ｂとの位置、および、第二光入射孔３３２Ｂと第一光センサー３４１Ｂとの位置が移動されることがない。これにより、筐体３１内に供給された入射光の光路上に必ず各光センサー３４１Ｂ，３４２Ｂが位置するので、確実に当該各光センサー３４１Ｂ，３４２Ｂにより波長可変干渉フィルター５を介した光を受光できる。これにより、１つの波長可変干渉フィルター５Ｂであっても、それぞれ異なる方向から筐体３１内に入射される光を確実に各光センサー３４１Ｂ，３４２Ｂにて受光し、測色精度を高めることができる。
すなわち、本発明の測光装置３０Ｂを利用する機器、例えば、画像表示装置１Ｂによれば、測光装置３０Ｂにより取得された精度の高い受光データを用いて、ディスプレイ１１の表示色を適切に色補正することができる。
【００７０】
[変形例]
なお、本発明は前述の各実施形態に限定されるものではなく、本発明の目的を達成できる範囲での変形、改良等は本発明に含まれるものである。
ベゼル部１２または測光装置３０，３０Ａ，３０Ｂに、当該測光装置３０，３０Ａ，３０Ｂを自動でベゼル部１２からディスプレイ１１側に進退させる駆動機構を設ける構成としてもよい。この場合、例えば、回動軸３２に歯車を形成し、駆動モーターの駆動力を歯車に伝達して測光装置３０，３０Ａ，３０Ｂを回動させる。この構成では、制御部４０の制御により駆動モーターを制御することで、自動で測光装置３０，３０Ａ，３０Ｂをベゼル部１２からディスプレイ１１側に進退させることができる。
【００７１】
また、筐体３１内で波長可変干渉フィルター５を１つ設ける例を示したが、これに限定されない。例えば、波長可変干渉フィルター５を２つ設け、当該波長可変干渉フィルター５の固定基板５１を各光センサー３４１，３４２上に設ける構成としてもよい。この場合、例えば透明樹脂等により固定基板５１と各光センサー３４１，３４２とを接合してもよい。これにより、各光センサー３４１，３４２と固定基板５１との間に空気層が介在せず、光量損失を抑制することができる。
【００７２】
上記各実施形態では、単一の測光装置３０，３０Ａ，３０Ｂが設けられる構成を例示したが、例えば２つ以上の複数の測光装置が設けられる構成としてもよい。この場合、ディスプレイ１１の複数の画素から出力される光に基づいて、デバイスプロファイルデータの補正を行うことができる。
【００７３】
上記各実施形態では、本発明の画像表示装置として、図１に示すような据置型の画像表示装置１を例示したが、これに限定されない。本発明の画像表示装置としては、その他、携帯電話やスマートフォン等の携帯型端末装置等の表示装置にも適用できる。
また、上記各実施形態では、本発明の測光装置３０，３０Ａ，３０Ｂを画像表示装置１に適用することとしたが、これに限定されない。本発明の測光装置３０，３０Ａ，３０Ｂは、プリンター、携帯型端末装置に設けられるカメラ等の各種装置にも適用できる。
【００７４】
また、本発明の分光フィルターの一例として、上記各実施形態では、波長可変干渉フィルター５を例示したが、これに限定されない。ベゼル部１２内に収納可能な分光フィルターであればいかなる構成でもよく、例えばリニアバリアブルフィルター等を用いてもよい。
また、波長可変干渉フィルター５として、第一基板である固定基板５１上に第一反射膜である固定反射膜５４が設けられ、第二基板である可動基板５２上に第二反射膜である可動反射膜５５が設けられる構成を例示したが、これに限定されない。例えば、第一基板や第二基板が設けられない構成としてもよい。この場合、例えば、平行ガラス基板の一面に第一反射膜を設け、前記一面と平行となる他面に第二反射膜を設けた後、エッチング等により平行ガラス基板をエッチングする。当該構成では、第一基板や第二基板が設けられない構成となり、分光素子をより薄型化することができる。この場合、第一反射膜および第二反射膜の間に例えばスペーサー等を介在させることで、反射膜間のギャップ寸法を維持できる。また、第一反射膜上に第一電極を設け、第二反射膜上に第二電極を設け、これらの第一電極および第二電極の間に駆動電圧を印加することで、反射膜間のギャップ寸法を変更することができる。
【００７５】
その他、本発明の実施の際の具体的な構造は、本発明の目的を達成できる範囲で他の構造等に適宜変更できる。
【符号の説明】
【００７６】
１…画像表示装置、５…波長可変干渉フィルター、１０…表示部、１１…ディスプレイ、１２…ベゼル部、３０…測光装置、３１…筐体、３２…回動軸、３６…フィルター制御回路、４０…制御部、４２…表示制御部、４３…測色処理部、４４…色補正部（色補正手段）、５１…固定基板、５２…可動基板、５４…固定反射膜、５５…可動反射膜、５６…静電アクチュエーター、３１１…第一遮光部、３１２…第二遮光部、３３１…第一光入射孔、３３２…第二光入射孔、３４１…第一光センサー（第一受光部）、３４２…第二光センサー（第二受光部）、３５１…第一受光回路基板（第一受光部）、３５２…第二受光回路基板（第二受光部）、３７１，３７２…ミラー（第二導光光学系）、３８１，３８２…ミラー（第一導光光学系）、４３１…表示測色手段、４３２…外光測色手段。
【図１】
2015141066.tif 000003
【図２】
2015141066.tif 000004
【図３】
2015141066.tif 000005
【図４】
2015141066.tif 000006
【図５】
2015141066.tif 000007
【図６】
2015141066.tif 000008
【図７】
2015141066.tif 000009
【図８】
2015141066.tif 000010
【図９】
2015141066.tif 000011
【図１０】
2015141066.tif 000012